【手続補正書】
【提出日】令和3年6月14日(2021.6.14)
【手続補正１】
【補正対象書類名】特許請求の範囲
【補正対象項目名】全文
【補正方法】変更
【補正の内容】
【特許請求の範囲】
【請求項１】
プロセッサによって、モノのインターネット（ＩｏＴ）環境内のネットワーク化システムをテストするための方法であって、
シミュレーション環境に関連する制御パラメータおよび情報を受信することと、
前記シミュレーション環境内で、ネットワーク・システムに関連付けられたエンティティ、前記ネットワーク・システムに関連付けられたシミュレートされるエンティティ、またはその組み合わせを、前記制御パラメータに従ってＴａａＳ（testing as a service）としてテストすることと、
前記シミュレートされるエンティティの前記テストに基づいて、前記エンティティ、前記ネットワーク・システム、またはその組み合わせの特性を推定することとを含んでいる、方法。
【請求項２】
前記シミュレーション環境内で前記ＴａａＳとしてテストすることが、
前記制御パラメータに従って前記シミュレーション環境内でテストするための価格を推定すること、
前記テストの前記推定された価格の承認を受信すること、あるいは
前記エンティティ、前記シミュレートされるエンティティ、またはその組み合わせをテストすることをさらに含んでいる、請求項１に記載の方法。
【請求項３】
前記シミュレーション環境内で前記ＴａａＳとしてテストすることが、
前記シミュレーション環境内でテストするための最大しきい値価格、価格設定の範囲、またはその組み合わせを受信すること、
前記シミュレーション環境内でテストするための前記最大しきい値価格、前記価格設定の範囲、またはその組み合わせに従って前記制御パラメータを調整すること、
前記調整された制御の承認を受信すること、あるいは
前記エンティティ、前記シミュレートされるエンティティ、またはその組み合わせをテストすることをさらに含んでいる、請求項１に記載の方法。
【請求項４】
前記シミュレーション環境に関連する前記制御パラメータおよび前記情報を受信することが、
前記シミュレーション環境の記述を受信すること、
前記ネットワーク・システムの記述を受信することであって、前記記述が前記ネットワーク・システムのトポロジーを少なくとも含んでいる、前記受信すること、
前記ネットワーク・システムの動作に関連する履歴データを受信すること、
前記ネットワーク・システムの前記動作の選択された期間に関するスケジューリング・データを受信すること、
リアルタイムにストリーミングされたデータを前記エンティティから受信すること、または
リアルタイムにストリーミングされたデータをサードパーティから受信することを含んでいる、請求項１に記載の方法。
【請求項５】
前記制御パラメータを受信することが、
前記テストを実行してテスト結果を提供するための選択された時間を受信すること、
前記シミュレートされるエンティティを前記テストすることに関する条件を受信すること、
前記テスト中のシステムの前記エンティティを前記テストすることに関する条件を受信すること、または
前記テストの精度の測定値を受信することをさらに含んでいる、請求項１に記載の方法。
【請求項６】
前記シミュレーション環境内で前記ＴａａＳとしてテストする前に、
前記制御パラメータに従って選択された期間にわたってシミュレートするための前記エンティティの数を推定すること、
前記制御パラメータに従って、前記ネットワーク化システムに関連付けられた前記エンティティ、前記シミュレートされるエンティティ、および環境の間の相互作用の数を推定すること、または
前記制御パラメータに従って、選択された期間にわたって前記エンティティおよび前記相互作用の数をシミュレートするのに必要なコンピューティング・システムを推定することをさらに含んでいる、請求項１に記載の方法。
【請求項７】
前記テストすることが、
前記制御パラメータに従って前記エンティティをシミュレートすることと、
前記シミュレーション中に前記シミュレーション環境をリアルタイムに更新することであって、前記ネットワーク・システムの動作の履歴データを少なくとも含んでいる、前記更新することとをさらに含んでいる、請求項１に記載の方法。
【請求項８】
前記シミュレートされるエンティティに関してリアルタイムにストリーミングされたデータを、前記シミュレートされるエンティティの前記テストの出力として提供することをさらに含んでいる、請求項１に記載の方法。
【請求項９】
前記シミュレートされる環境にアクセスするために、前記エンティティ、ユーザ、またはその組み合わせによるリモート・アクセス用のインターフェイスを提供することをさらに含んでいる、請求項１に記載の方法。
【請求項１０】
シミュレーション環境の記述および価格を受信することと、
前記価格およびシミュレーション環境の前記記述に従って、テストの前記制御パラメータを推定することと、
前記制御パラメータの承認時に、前記制御パラメータに従って、関連付けられた前記エンティティ、前記シミュレートされるエンティティ、またはその組み合わせをテストすることと、
前記シミュレートされるエンティティの前記テストに基づいて、前記エンティティ、前記ネットワーク・システム、またはその組み合わせの前記特性を推定することとをさらに含んでいる、請求項１に記載の方法。
【請求項１１】
モノのインターネット（ＩｏＴ）ネットワーク環境内のネットワーク化システムをテストするためのシステムであって、
シミュレーション環境に関連する制御パラメータおよび情報を受信することと、
前記シミュレーション環境内で、ネットワーク・システムに関連付けられたエンティティ、前記ネットワーク・システムに関連付けられたシミュレートされるエンティティ、またはその組み合わせを、前記制御パラメータに従ってＴａａＳ（testing as a service）としてテストすることと、
前記シミュレートされるエンティティの前記テストに基づいて、前記エンティティ、前記ネットワーク・システム、またはその組み合わせの特性を推定することとを実行する、システム。
【請求項１２】
前記シミュレーション環境に関連する前記制御パラメータおよび前記情報を受信することに従って、前記実行可能な命令が、実行された場合に、前記システムに、
前記シミュレーション環境の記述を受信すること、
前記ネットワーク・システムの記述を受信することであって、前記記述が前記ネットワーク・システムのトポロジーを少なくとも含んでいる、前記受信すること、
前記ネットワーク・システムの動作に関連する履歴データを受信すること、
前記ネットワーク・システムの前記動作の選択された期間に関するスケジューリング・データを受信すること、
リアルタイムにストリーミングされたデータを前記エンティティから受信すること、
リアルタイムにストリーミングされたデータをサードパーティから受信することであって、前記ストリーミングされたデータが気象監視データ、汚染監視データ、衛星画像データ、もしくは航空画像データ、またはその組み合わせを含んでいる、前記受信すること、
前記テストを実行してテスト結果を提供するための選択された時間を受信すること、
前記シミュレートされるエンティティを前記テストすることに関する条件を受信すること、
前記テスト中のシステムの前記エンティティを前記テストすることに関する条件を受信すること、あるいは
前記テストの精度の測定値を受信することを実行させる、請求項１１に記載のシステム。
【請求項１３】
プロセッサによって、コンピューティング環境内のネットワーク化システムをテストするためのコンピュータ・プログラムであって、前記プロセッサに、
シミュレーション環境に関連する制御パラメータおよび情報を受信することと、
前記シミュレーション環境内で、ネットワーク・システムに関連付けられたエンティティ、前記ネットワーク・システムに関連付けられたシミュレートされるエンティティ、またはその組み合わせを、前記制御パラメータに従ってＴａａＳ（testing as a service）としてテストすることと、
前記シミュレートされるエンティティの前記テストに基づいて、前記エンティティ、前記ネットワーク・システム、またはその組み合わせの特性を推定することとを実行させるためのコンピュータ・プログラム。